(57)【要約】【課題】筐体を好適にスリム化することができるようにする。【解決手段】本発明に係る携帯電話機においては、スライド式構造を有する携帯電話機であって、上部筐体２は、下部筐体に対向する板状のインナーエレメント２９と、エレメント２９と対向する板状のアウターエレメント２１と、エレメント２９とエレメント２１との間に設けられる板状のミドルエレメント２５と、エレメント２５を貫通する開口部Ｒの周縁に沿って形成される額縁状の枠に嵌め込まれるＬＣＤ本体２４と、ＬＣＤ本体２４を挟みエレメント２５上に設けられ、エレメント２１を上方から被せて開口部Ｑ１から露出させた、平面形状を有する樹脂からなる部材２３が接着されたＬＣＤユニット４と、エレメント２５の肉厚部３４の上面に設けられるキーシート２２と、キーシート２２上に配置され、エレメント２１を上方から被せて開口部Ｑ２から露出させたキーパッド５と備える。【選択図】  図４
2009021692.tif 000002
【特許請求の範囲】
【請求項１】
蓋筐体と本体筐体とが案内体を介して面方向に互いにスライド可能なスライド式構造を有する情報機器であって、
前記蓋筐体は、
前記本体筐体に対向する板状のインナーエレメントと、
前記インナーエレメントと対向する板状のアウターエレメントと、
前記インナーエレメントの上方と前記アウターエレメントの下方のそれぞれに対向して、前記インナーエレメントと前記アウターエレメントとの間に設けられる板状のミドルエレメントと、
前記ミドルエレメントを貫通する開口部の周縁に沿って形成される額縁状の枠に嵌め込まれるＬＣＤ本体と、
前記ＬＣＤ本体を前記ミドルエレメントとの間で挟み込んで前記ミドルエレメント上に設けられ、前記アウターエレメントを上方から被せて、前記アウターエレメントを貫通する開口部から露出させた、平面形状を有する樹脂からなる部材が全体に接着されたＬＣＤユニットと、
前記ミドルエレメントの肉厚部の上面に設けられるキーシートと、
前記キーシート上に配置され、前記アウターエレメントを上方から被せて、前記アウターエレメントを貫通する開口部から露出させたキーパッドと備えることを特徴とする情報機器。
【請求項２】
前記樹脂からなる部材は、強化ガラスであることを特徴とする請求項１に記載の情報機器。
【請求項３】
前記ＬＣＤユニットは、前記ＬＣＤユニットの端部に付設される腕部が前記ミドルエレメントの肉厚部の下方に挿入されて前記ミドルエレメントに保持されることを特徴とする請求項１に記載の情報機器。
【請求項４】
第１の筐体と第２の筐体とが接続された構造を有する情報機器であって、
前記第１の筐体は、
前記第２の筐体に対向する板状のインナーエレメントと、
前記インナーエレメントと対向する板状のアウターエレメントと、
前記インナーエレメントの上方と前記アウターエレメントの下方のそれぞれに対向して、前記インナーエレメントと前記アウターエレメントとの間に設けられる板状のミドルエレメントと、
前記ミドルエレメントを貫通する開口部の周縁に沿って形成される額縁状の枠に嵌め込まれるＬＣＤ本体と、
前記ＬＣＤ本体を前記ミドルエレメントとの間で挟み込んで前記ミドルエレメント上に設けられ、前記アウターエレメントを上方から被せて、前記アウターエレメントを貫通する開口部から露出させた、平面形状を有する樹脂からなる部材が接着されたＬＣＤユニットと、
前記ミドルエレメントの肉厚部の一部の上面に設けられ、かつ前記ＬＣＤユニットの下端部に重ねて設けられたキーシートと、
前記キーシート上に配置され、前記アウターエレメントを上方から被せて、前記アウターエレメントを貫通する開口部から露出させたキーパッドと備えることを特徴とする情報機器。
【発明の詳細な説明】
【技術分野】
【０００１】
本発明は情報機器に係り、特に、キーパッドとともにＬＣＤユニットが搭載された情報機器に関する。
【背景技術】
【０００２】
近年、様々な形態を有する携帯電話機が提案されている。例えば非折り畳み式の携帯電話機（いわゆるストレートスタイル）で、その外観形状が縦長箱型や横長箱型などの箱型のもの、ストレートスタイルのキーパッド部分を回動可能な蓋により覆うようにしたフリップスタイルのものや、折り畳み式の携帯電話機、スライド式の携帯電話機などが存在する。
【０００３】
携帯電話機はユーザにより毎日使用されるため、一般に、できるだけ薄くて、かつ、軽量な携帯電話機が好まれる。そこで、例えばスリム化が可能で、要求される設置空間が少なくすることができるキーパッド組立体およびそのキーパッド組立体を備える携帯電話機が提案されている（例えば特許文献１参照）。
【特許文献１】特開２００７−６８１６０号公報
【発明の開示】
【発明が解決しようとする課題】
【０００４】
しかしながら、例えばスライド式の携帯電話機の場合、従来においては、ＬＣＤパネルなどを保護するためにＬＣＤユニットを覆う板状の部材（エレメント）を設け、その板状の部材（エレメント）の上にキーシートとキーパッドを配置し、その上方からパネルを貼り付けるようにしていた。そのため、ＬＣＤユニットとパネルまでの間の厚みが大きくなり、携帯電話機のスリム化の妨げとなってしまうという課題があった。
【０００５】
本発明は、このような状況に鑑みてなされたものであり、筐体を好適にスリム化することができる情報機器を提供することを目的とする。
【課題を解決するための手段】
【０００６】
本発明の情報機器は、上述した課題を解決するために、蓋筐体と本体筐体とが案内体を介して面方向に互いにスライド可能なスライド式構造を有する携帯電話機であって、蓋筐体は、本体筐体に対向する板状のインナーエレメントと、インナーエレメントと対向する板状のアウターエレメントと、インナーエレメントの上方とアウターエレメントの下方のそれぞれに対向して、インナーエレメントとアウターエレメントとの間に設けられる板状のミドルエレメントと、ミドルエレメントを貫通する開口部の周縁に沿って形成される額縁状の枠に嵌め込まれるＬＣＤ本体と、ＬＣＤ本体をミドルエレメントとの間で挟み込んでミドルエレメント上に設けられ、アウターエレメントを上方から被せて、アウターエレメントを貫通する開口部から露出させた、平面形状を有する樹脂からなる部材が全体に接着されたＬＣＤユニットと、ミドルエレメントの肉厚部の上面に設けられるキーシートと、キーシート上に配置され、アウターエレメントを上方から被せて、アウターエレメントを貫通する開口部から露出させたキーパッドと備えることを特徴とする。
【０００７】
本発明の情報機器は、上述した課題を解決するために、第１の筐体と第２の筐体とが接続された構造を有する情報機器であって、第１の筐体は、第２の筐体に対向する板状のインナーエレメントと、インナーエレメントと対向する板状のアウターエレメントと、インナーエレメントの上方とアウターエレメントの下方のそれぞれに対向して、インナーエレメントとアウターエレメントとの間に設けられる板状のミドルエレメントと、ミドルエレメントを貫通する開口部の周縁に沿って形成される額縁状の枠に嵌め込まれるＬＣＤ本体と、ＬＣＤ本体をミドルエレメントとの間で挟み込んでミドルエレメント上に設けられ、アウターエレメントを上方から被せて、アウターエレメントを貫通する開口部から露出させた、平面形状を有する樹脂からなる部材が接着されたＬＣＤユニットと、ミドルエレメントの肉厚部の一部の上面に設けられ、かつＬＣＤユニットの下端部に重ねて設けられたキーシートと、キーシート上に配置され、アウターエレメントを上方から被せて、アウターエレメントを貫通する開口部から露出させたキーパッドと備えることを特徴とする。
【発明の効果】
【０００８】
本発明によれば、筐体を好適にスリム化することができる。
【発明を実施するための最良の形態】
【０００９】
以下、本発明の実施の形態について、携帯電話機を例として、図面を参照しながら説明する。図１は、本発明に係る情報機器に適用可能な携帯電話機１の外観の概略的な構成を表している。図１に示されるように、携帯電話機１は、蓋筐体としての上部筐体２と本体筐体としての下部筐体３からなり、図示せぬガイドユニット（案内体）を介して上部筐体２と下部筐体３とが互いに矢印Ｘ方向にスライド可能に設けられている。
【００１０】
上部筐体２には、その上面の大部分にわたってＬＣＤユニット４がユーザにより視認可能に設けられており、上部筐体２の基部側には、ユーザにより操作されるキーパッド５がそれぞれの開口部６−１乃至６−７から露出されて設けられている。
【００１１】
ここで、図２を用いて、従来の上部筐体２の解体図について説明する。図２に示されるように、上部筐体２においては、ＬＣＤユニット４を外部からの衝撃から保護するために、ＬＣＤユニット４は、板状（板枠状）のアウターエレメント１２に図２における下方から装着される。このアウターエレメント１２には、ユーザがＬＣＤユニット４を上部筐体２の上から視認することができるように、ほぼ長方形に貫通された開口部Ｐが設けられている。
【００１２】
そして、アウターエレメント１２には、開口部Ｐの基部側に肉厚部が設けられており、この肉厚部に対して図２における上方からキーパッド５（キーシートを含む）が配置される。その後、キーパッド５が配置されたアウターエレメント１２に、ＬＣＤユニット４を上部筐体２の上方から開口部Ｐを介して視認することができるように一部が透明となパネル１１が貼り付けられる。
【００１３】
なお、ＬＣＤユニット４の図２における下方には、基板１３が設けられるとともに、さらに基板１３の下方には板状のインナーエレメント１６が設けられる。このインナーエレメント１６の裏側には、図示せぬガイド体（案内体）が、座金１４−１乃至１４−４およびネジ１５−１乃至１５−４を用いて固定される。
【００１４】
しかしながら、図２に示される従来のスライド式の携帯電話機１においては、ＬＣＤユニット４を外部からの衝撃から保護するために、ＬＣＤユニット４とパネル１１との間にアウターエレメント１２を設けるようにしていることから、ＬＣＤユニット４とパネル１１までの間の厚みが大きくなり、携帯電話機１のスリム化の妨げとなってしまう。
【００１５】
図３（Ａ）は、図２のＹ−Ｙ´線上の断面図を表している。図３（Ａ）に示されるように、ＬＣＤユニット４とパネル１１までの間の厚みＮが大きくなり、携帯電話機１のスリム化の妨げとなる。
【００１６】
そこで、まず、ＬＣＤユニット４を外部からの衝撃から保護するために強化ガラス（例えばFRP（Fiber Reinforced Plastics）に代表される繊維強化プラスチックなど）をＬＣＤユニット４に接着し、このＬＣＤユニット４を、アウターエレメント１２に設けられた貫通された開口部から直接外部に露出するようにする。これにより、ＬＣＤユニット４と上部筐体２の上面までの間の厚みを小さくすることができ、携帯電話機１の上部筐体２を好適にスリム化することができる。以下、この構造を用いた携帯電話機１について説明する。
【００１７】
図４は、本発明に係る携帯電話機１の上部筐体２の解体図である。図４に示されるように、上部筐体２は、下部筐体３に対向する板状のインナーエレメント２９と、インナーエレメント２９と対向する板状のアウターエレメント２１と、インナーエレメント２９の上方とアウターエレメント２１の下方のそれぞれに対向して、インナーエレメント２９とアウターエレメント２１との間に設けられる板状のミドルエレメント２５とからなる。
【００１８】
ミドルエレメント２５には、このミドルエレメント２５を貫通する開口部Ｒが設けられている。ＬＣＤ本体２４（表示ドライバ）は、このミドルエレメント２５に設けられた開口部Ｒの周縁に沿って形成される額縁状の枠に嵌め込まれる。
【００１９】
ＬＣＤユニット４には、平面形状を有する樹脂からなる部材２３（例えば強化ガラスなど）が全体に接着されている。なお、ＬＣＤユニット４に接着される部材はＬＣＤパネル自体を保護することができさえすればよく、強化ガラス以外の樹脂を部材２３として用いるようにしてもよい。
【００２０】
このＬＣＤユニット４は、ＬＣＤ本体２４をミドルエレメント２５との間で挟み込んでミドルエレメント２５上に重ね合わされるように設けられる。このとき、ＬＣＤユニット４は、ＬＣＤユニット４の端部に付設される腕部３３がミドルエレメント２５の肉厚部３４の下方（図４における下方）に挿入されて、ミドルエレメント２５の開口部Ｒに嵌め込まれたＬＣＤ本体２４とともにミドルエレメント２５に固定（保持）される。
【００２１】
一方、ミドルエレメント２５とインナーエレメント２９との間には、基板２６とサブ基板２８が挟持されて設けられている。具体的には、ミドルエレメント２５の図２における下方に、まず基板２６が設けられるとともに、ミドルエレメント２５と基板２６との間にはレシーバ３５が設けられる。このレシーバ３５は、レシーバホルダ３６により基板２６に固定される。また、基板２６の図４における下方には、サブ基板２８が設けられ、このサブ基板２８はサブ基板ホルダ２７によりインナーエレメント２９の基部側に上方から固定される。なお、ＬＣＤユニット４の端部に付設される腕部３３は、サブ基板２８の図４における下方にまで挿入される。
【００２２】
インナーエレメント２９の図４における下方には、スライドユニット３０（案内体）が設けられ、このスライドユニット３０は、インナーエレメント２９とスライドユニット３０との間にスライドスペーサ３２−１乃至３２−４を介した上で、ネジ３７−１乃至３７−４によりインナーエレメント２９に固定される。
【００２３】
キーシート２２は、ミドルエレメント２５の肉厚部３４の上面に一部分重ね合わされるように設けられ（残りの一部はＬＣＤユニットに重ね合わされるように設けられる）、さらにキーパッド５は、このキーシート２２上に配置される。そして、ＬＣＤユニット４およびキーパッド５に対してアウターエレメント２１を図４における上方から被せる。アウターエレメント２１には、予めこのアウターエレメント２１を貫通した開口部Ｑ１とＱ２が設けられており、アウターエレメント２１を上方から被せると、アウターエレメント２１に設けられた開口部Ｑ１からＬＣＤユニット４が外部に直接露出されるとともに、アウターエレメント２１に設けられた開口部Ｑ２からキーパッド５が外部に露出される。
【００２４】
これにより、ＬＣＤユニット４と上部筐体２の上面までの間の厚みを小さくすることができ、携帯電話機１の上部筐体２を好適にスリム化することができる。
【００２５】
なお、キーシート２２の接続端子３８はミドルエレメント２５の肉厚部３４の右側の図示せぬ挿入口から挿入される。
【００２６】
ここで、ＬＣＤユニット４を外部からの衝撃などから保護するために、ＬＣＤユニット４に樹脂からなる部材２３（例えば強化ガラスなど）を重ねて接着すると、ＬＣＤ本体２４までも保護する必要があり、樹脂からなる部材２３自体の面積がＬＣＤパネル自体よりも大きくなることから、従来の上部筐体２の構造に比べてキーパッド５をより面方向に基部側に配置しなければならない。そこで、ミドルエレメント２５の肉厚部３４の上面にキーシート２２を設ける際に、ＬＣＤユニット４に接着された樹脂からなる部材２３の基部側の領域Ｓに重ねて設けるようにする。ここで、「部材２３の基部側の領域Ｓ」とは、ＬＣＤユニット４に接着される樹脂からなる部材２３が、ＬＣＤユニット４のＬＣＤパネルを超える端部領域である。従って、ＬＣＤユニット４に接着された樹脂からなる部材２３の基部側の領域Ｓに重ねて設けるようにすると、ＬＣＤユニット４のＬＣＤパネルの基部側の一辺Ｔに対してキーシート２２の上端部の一辺Ｕが併設されることなる。これにより、ＬＣＤユニット４と上部筐体２の表面までの間の厚みを小さく抑えつつ、ＬＣＤユニット４に接着する樹脂からなる部材２３を用いた場合であっても上部筐体２が長くなることを抑制し、携帯電話機１の上部筐体２を好適にスリム化することが可能となる。
【００２７】
具体的には、図３（Ｂ）は、図４のＺ−Ｚ´線上の縦断面図を表している。例えば図３（Ｂ）に示されるように、図３（Ａ）に示される従来の上部筐体２に比べて、ＬＣＤユニット４と上部筐体２の上面（この場合、アウターエレメント２１の上面）までの間の厚みＮを小さく抑えることができる。これと同時に、ＬＣＤユニット４に接着する樹脂からなる部材２３を用いると、ＬＣＤユニット４の基部側が上部筐体２の面方向により基部側に配置されてしまうが、ＬＣＤユニット４に接着する樹脂からなる部材２３を用いた場合であっても、部材２３の下端部の領域Ｓにキーシート２２を重ねて設けるようにしたので、樹脂からなる部材２３の基部側の領域Ｓにキーシート２２を重ねる分だけ、上部筐体２が長くなることを抑制し、携帯電話機１の上部筐体２を好適にスリム化することが可能となる。
【００２８】
なお、本発明の実施形態においては、スライド式の携帯電話機１に関して明示的に記載したが、このような場合に限られず、ストレート式や折り畳み式などの他の携帯電話機１に本発明を適用するようにしてもよい。
【００２９】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理携帯電話機にも適用することができる。
【図面の簡単な説明】
【００３０】
【図１】本発明に係る情報機器に適用可能な携帯電話機の外観の概略的な構成を示す外観図。
【図２】従来の携帯電話機の上部筐体の解体図。
【図３】図２のＹ−Ｙ´線上における上部筐体の断面図と図４のＺ−Ｚ´線上における上部筐体の断面図。
【図４】本発明に係る情報機器に適用可能な携帯電話機の上部筐体の解体図。
【符号の説明】
【００３１】
１…携帯電話機、２…上部筐体、３…下部筐体、４…ＬＣＤユニット、５…キーパッド、６（６−１乃至６−７）…開口部、１１…パネル、１２…アウターエレメント、１３…基板、１４（１４−１乃至１４−４）…座金、１５（１５−１乃至１５−４）…ネジ、１６…インナーエレメント、２１…アウターエレメント、２２…キーシート、２３…樹脂からなる部材、２４…ＬＣＤ本体、２５…ミドルエレメント、２６…基板、２７…サブ基板ホルダ、２８…サブ基板、２９…インナーエレメント、３０…スライドユニット、３１（３１−１乃至３１−４）…ネジ、３２（３２−１乃至３２−４）…スライドスペーサ、３３…腕部、３４…肉厚部、３５…レシーバ、３６…レシーバホルダ、３７（３７−１乃至３７−４）…ネジ、３８…接続端子。
【図１】
2009021692.tif 000003
【図２】
2009021692.tif 000004
【図３】
2009021692.tif 000005
【図４】
2009021692.tif 000006